(57)【要約】【課題】  簡単な構成により、遮熱機能を有する椅子のメンテナンスや閉塞体の管理を容易にする技術を提供する。【解決手段】  椅子は、座部と、複数の脚部と、開閉部とを備える。座部は、座面裏側に第１接続部を有する。複数の脚部は、座部を支える。開閉部は、第１接続部と接続される第２接続部を有し、隣り合う第１脚部と第２脚部との脚部間上方近傍の接続位置に接続される。また、開閉部は、第１接続部と第２接続部とが接続されているとき、脚部間を開放し、第１接続部と第２接続部とが接続されていないとき、脚部間を閉塞する。さらに、開閉部は、屈曲性を有する部材で形成される。【選択図】図２
2018000890.tif 000002
【特許請求の範囲】
【請求項１】
座面裏側に第１接続部を有する座部と、
前記座部を支える複数の脚部と、
前記第１接続部と接続される第２接続部を有し、隣り合う第１脚部と第２脚部との脚部間上方近傍の接続位置に接続され、前記第１接続部と前記第２接続部とが接続されているとき、前記脚部間を開放し、前記第１接続部と前記第２接続部とが接続されていないとき、前記脚部間を閉塞する、屈曲性を有する部材で形成される開閉部と、
を備えることを特徴とする椅子。
【請求項２】
前記椅子は、さらに、
前記座面上側から見て前記接続位置の水平方向外側で、前記脚部間に接続される横桟部を備え、
前記開閉部は、
前記接続位置に接続された状態において、前記接続位置と前記横桟部との間の開放部を覆う長さと、前記横桟部の上方から前記開放部を通りぬけ可能な屈曲性とを有する
ことを特徴とする請求項１に記載の椅子。
【請求項３】
前記開閉部は、
前記接続位置に着脱可能に接続される
ことを特徴とする請求項１または２に記載の椅子。
【請求項４】
前記開閉部は、
剛性を有する板部材を含む
ことを特徴とする請求項１〜３のいずれか一つに記載の椅子。
【請求項５】
前記開閉部は、
剛性を有する複数の板部材を含み、
前記複数の板部材の間は、
屈曲性を有する
ことを特徴とする請求項１〜３に記載の椅子。
【発明の詳細な説明】
【技術分野】
【０００１】  本発明は椅子に関する。
【背景技術】
【０００２】  ダイニングテーブルにこたつ用のヒーターユニットを設けたダイニングこたつがある。ダイニングこたつと組み合わせて用いられる椅子の中には、ダイニングこたつからの暖気の逃げを抑制するために、ダイニングチェアの座面前方以外の脚の間を板状の閉塞体で塞いだ構成のものかある。以下の説明では、こたつの暖気の逃げを抑制する機能のことを、遮熱機能ともいう。【０００３】  関連する技術として、椅子の４本の脚部のうちの後側２本の脚部間に閉塞板を固定する。また、左側２本の脚部間の座部側縁および右側２本の脚部間の座部側縁にそれぞれの内側に取り付けられたヒンジにより、左右の暖気逃げ防止板を、左右の脚部間および脚部間から座部下面側へそれぞれ折込可能に設ける。左右の暖気逃げ防止板および枠部材には、左右の暖気逃げ防止板を座部下面側に折り込んで開いた状態と、左右の脚部間に下げて閉じた状態とにそれぞれ保持するマグネットキャッチや開閉位置保持型ヒンジなどの開閉位置保持機構を設ける技術が知られている（例えば、特許文献１）。【０００４】  また、関連する他の技術として、テーブルこたつ用椅子は椅子本体と閉塞シートを備えている。椅子本体は背もたれを有する座部を備えている。座部の下側には４本の脚部が設けられている。通気性のない閉塞シートは、前部側脚部間を開放して脚部に面ファスナーで着脱可能に取り付けられている。座部の下方には、前方が開放部によって開口し、残りの三方が閉塞シートで囲まれた空間部が形成される技術が知られている（例えば、特許文献２）。
【先行技術文献】
【特許文献】
【０００５】
【特許文献１】実用新案登録第３１６０９７９号公報
【特許文献２】特許第４７０７１２０号公報
【発明の概要】
【発明が解決しようとする課題】
【０００６】  前述した遮熱機能を有する椅子では、ヒンジやマグネットキャッチの故障により、遮熱性と通気性との切替えを容易にできなくなってしまうことがある（特許文献１）。
また、遮熱性と通気性とを切替える際に閉塞体を取り外さなければならないため、取り外した閉塞体の管理が必要となる（特許文献２）。
本発明は、一側面として、簡単な構成により、メンテナンスや閉塞体の管理を容易にした遮熱機能を有する椅子を提供する。
【課題を解決するための手段】
【０００７】  本明細書で開示する椅子のひとつに、座部と、複数の脚部と、開閉部とを備える椅子がある。座部は、座面裏側に第１接続部を有する。複数の脚部は、座部を支える。開閉部は、第１接続部と接続される第２接続部を有し、隣り合う第１脚部と第２脚部との脚部間上方近傍の接続位置に接続される。また、開閉部は、第１接続部と第２接続部とが接続されているとき、脚部間を開放し、第１接続部と第２接続部とが接続されていないとき、脚部間を閉塞する。さらに、開閉部は、屈曲性を有する部材で形成される。
【発明の効果】
【０００８】  １実施態様によれば、簡単な構成により、遮熱機能を有する椅子のメンテナンスや閉塞体の管理を容易にすることができる。
【図面の簡単な説明】
【０００９】
【図１】  椅子の使用の一例を示す図（その１）である。
【図２】  閉塞状態の一例を示す図である。
【図３】  開放状態の一例を示す図である。
【図４】  閉塞体の一実施例を示す図（その１）である。
【図５】  椅子の一実施例を示す図（その１）である。
【図６】  椅子の一実施例を示す図（その２）である。
【図７】  椅子の一実施例を示す図（その３）である。
【図８】  開閉状態の切替えを説明する図（その１）である。
【図９】  開閉状態の切替えを説明する図（その２）である。
【図１０】  開閉状態の切替えを説明する図（その３）である。
【図１１】  開閉状態の切替えを説明する図（その４）である。
【図１２】  閉塞体の一実施例を示す図（その２）である。
【図１３】  椅子の一実施例を示す図（その４）である。
【図１４】  椅子の一実施例を示す図（その５）である。
【図１５】  椅子の使用の一例を示す図（その２）である。
【発明を実施するための形態】
【００１０】［実施形態］
実施形態の椅子について説明する。
椅子は、座部と、複数の脚部と、開閉部と、横桟部とを備える。
【００１１】  座部は、座面裏側に第１接続部を有する。座部は、例えば、後述する座部１２１である。座面裏側は、例えば、後述する座部１２１の裏面である。第１接続部は、例えば、後述する面ファスナー１４３、１４４である。
複数の脚部は、座部を支える。複数の脚部は、例えば、後述する脚１１１から１１４である。
【００１２】  開閉部は、屈曲性を有する部材で形成される。また、開閉部は、第１接続部と接続される第２接続部を有する。そして、開閉部は、隣り合う第１脚部と第２脚部との脚部間上方近傍の接続位置に接続される。開閉部は、例えば、後述する閉塞体１０１、２０１、３０１、４０１、５０１である。第２接続部は、例えば、後述する面ファスナー１３３、１３４、２３３から２３６である。接続位置は、例えば、後述する横桟１１５、３１５、接続位置２５１、４５１、５５１である。板部材は、例えば、後述する板部材１３５、２３７、２３８である。上方近傍の接続位置とは、閉塞体が接続位置に接続された状態で次の条件を満たす、脚１１１と脚１１２との間の上方近傍にある位置のことである。条件とは、椅子が閉塞状態のとき、閉塞体の下側を横桟１１６の外側に配置でき、かつ椅子の開閉状態を切替えるとき、閉塞体が横桟１１６の上方から開放部を通りぬけできるという条件である。
【００１３】  開閉部は、第１接続部と第２接続部とが接続されているとき、脚部間を開放し、第１接続部と第２接続部とが接続されていないとき、脚部間を閉塞する。脚部間は、例えば、後述する、脚１１１と脚１１２との間、脚１１１と脚１１３との間、及び脚１１２と脚１１４との間、及び脚１１３と脚１１４との間である。
【００１４】  開閉部は、接続位置に接続された状態において、接続位置と横桟部との間の開放部を覆う長さと、横桟部の上方から開放部を通りぬけ可能な屈曲性とを有する。開放部は、例えば、後述する脚１１１と、脚１１２と、横桟１１５と、横桟１１６との間の開放部である。屈曲性は、例えば、後述する屈曲領域ａ１により機能する。
【００１５】  開放部は、接続位置に着脱可能に接続される。接続位置は、例えば、後述する横桟１１５、３１５、接続位置４５１、５５１である。また、着脱可能な機能は、例えば、後述する面ファスナー１３１と、面ファスナー１３２とを備えることにより機能する。
【００１６】  着脱可能な機能は、例えば、閉塞体と接続位置とに互いに止め合わされるスナップボタンを備え、閉塞体と接続位置とのボタンがボタン止されることにより実現されてもよい。また、着脱可能な機能は、例えば、閉塞体と接続位置とに互いに着磁する磁石を備え、閉塞体と接続位置との磁石が着磁されることにより実現されてもよい。着脱可能な機能は、着脱可能な任意の接続手段を用いて、閉塞体と接続位置とを着脱可能に接続することにより、実現されてもよい。
開閉部は、剛性、または準剛性を有する板部材を含む。板部材は、例えば、後述する板部材１３５である。
【００１７】  開閉部は、剛性、または準剛性を有する複数の板部材を含んでもよい。また、複数の板部材の間は、屈曲性を有する。複数の板部材は、例えば、後述する板部材２３７、２３８である。複数の板部材の間の屈曲性は、例えば、後述する屈曲領域ａ３により機能する。
横桟部は、座面上側から見て接続位置の水平方向外側で、脚部間に接続される。横桟部は、例えば、後述する横桟１１６、４１６、５１６である。
【００１８】  図１は、椅子の使用の一例を示す図（その１）である。
図１を参照して、ダイニングこたつと組み合わせて使用される椅子の遮熱機能について説明する。
椅子１は、後部の２本の脚の間を閉塞する閉塞体１０１を有する。そして、椅子１は、ダイニングこたつ５で使用されるこたつ布団６の中に、座面が入り込むようにして使用される。このように、椅子１は、閉塞体１０１を有することにより、ダイニングこたつ５の暖気が後部の脚の間から逃げるのを抑制する遮熱機能を有する。
【００１９】  図２は、閉塞状態の一例を示す図である。
図２は、椅子１の後方斜視図である。図２を参照して、椅子１の構成を説明する。
椅子１は、例えば、閉塞体１０１と、脚１１１と、脚１１２と、脚１１３と、脚１１４（図示せず）と、横桟１１５と、横桟１１６と、座部１２１と、背もたれ１２２とを備える。以下の説明では、座部１２１の表面のことを座面、座部１２１の裏面のことを単に裏面ともいう。脚１１１から脚１１４と、横桟１１５と、横桟１１６とは、例えば、木材、プラスチック、アルミニウム、ステンレス、鉄などの剛性、または準剛性を有する部材で構成される。
脚１１１から脚１１４は、それぞれ座部１２１の下側に設けられ、座部１２１を支える。
【００２０】  横桟１１５は、座部１２１と略同じ高さの位置で、脚１１１と脚１１２との間に掛け渡される。横桟１１６は、横桟１１５の下側で、脚１１１と脚１１２との間に掛け渡される。なお、横桟１１５は、横桟１１６の上側の位置で、脚１１１と脚１１２との間に掛け渡されるように設けられていれば、座部１２１と異なる高さの位置に設けられてもよい。
【００２１】  そして、横桟１１６は、座面上側から見て、横桟１１５の水平方向外側に設けられる。以下の説明では、座面上側から見て、横桟１１５の水平方向外側のことを単に横桟１１５の外側ともいう。なお、横桟１１６を構成要素から除外し、椅子１の構成をより簡単にしてもよい。
【００２２】  閉塞体１０１は、片側が横桟１１５に巻き付けられるように接続される。以下の説明では、閉塞体１０１の横桟１１５に巻き付けられて接続されている部分を、接続部分ともいう。閉塞体１０１の接続部分以外を閉塞部分ともいう。また、説明の便宜上、閉塞体１０１において、接続部分が上側、閉塞部分が下側であるものとして説明する。
【００２３】  図２を参照して、閉塞体１０１の閉塞状態を説明する。
図２に示すように、閉塞体１０１は、脚１１１と、脚１１２と、横桟１１５と、横桟１１６との間の開放部を覆う長さを有する。そして、閉塞体１０１の閉塞部分の下端は、脚１１１と脚１１２との間を閉塞するとき、座面上側から見て、横桟１１６の水平方向外側に位置するように配置される。このときの状態を、椅子１の閉塞状態という。以下の説明では、座面上側から見て、横桟１１６の水平方向外側のことを単に横桟１１６の外側ともいう。
【００２４】  椅子１の閉塞状態において、横桟１１６が横桟１１５の外側に位置することにより、閉塞体１０１には、横桟１１５を中心点として座部１２１下側方向に回動する力が働くことになる。これにより、閉塞体１０１は、閉塞部分の下側が横桟１１６に押し付けられるようにして固定される。したがって、椅子１は、閉塞状態のとき、閉塞体１０１が揺れ動くことなく脚１１１と脚１１２との間を閉塞するので、横桟１１６がない場合と比較して遮熱性を向上することができる。また、椅子１は、閉塞状態のとき、横桟１１５と横桟１１６との位置関係を限定するだけで、部品点数を増やすことなく閉塞体１０１を固定することができる。
【００２５】  図３は、開放状態の一例を示す図である。
図３は、椅子１の後方斜視図である。図３を参照して、閉塞体１０１の開放状態を説明する。
図３に示すように、閉塞体１０１は、脚１１１と脚１１２との間を開放するとき、座部１２１の裏側に折り込まれる。そして、閉塞体１０１は、面ファスナーを用いて、座部１２１の裏面に貼り付けられて固定される。このときの状態を、椅子１の開放状態という。
【００２６】  図４は、閉塞体の一実施例を示す図（その１）である。
図４を参照して、閉塞体１０１について説明する。
閉塞体１０１は、本体１３０と、面ファスナー１３１から１３４と、破線で示される板部材１３５とを備える。図４において、面ファスナー１３１と面ファスナー１３２と、面ファスナー１３１から面ファスナー１３２の間を含む領域が接続部分である。また、面ファスナー１３２の下端から閉塞体１０１の下端までの領域が閉塞部分である。
本体１３０は、屈曲性を有する部材で構成される。本体１３０は、例えば、布、合皮、本皮、及び合成樹脂などの屈曲性を有する部材を用いて構成される。
【００２７】  面ファスナー１３１と面ファスナー１３２とは、一対のセットであり、横桟１１５に閉塞体１０１を巻き付けたとき、互いに貼り合わされる。これにより、閉塞体１０１は、椅子１の横桟１１５に着脱可能に接続される。なお、椅子１と閉塞体１０１は、面ファスナーに代えて、スナップボタンや磁石などの着脱可能な任意の接続手段を備えてもよい。以下特に断らないが、各面ファスナーは、スナップボタンや磁石などの着脱可能な任意の接続手段と置き換え可能なものとする。
【００２８】  面ファスナー１３３は、後述する面ファスナー１４３と一対のセットであり、椅子１を開放状態にするときに互いに貼り合わされる。面ファスナー１３４は、後述する面ファスナー１４４と一対のセットであり、椅子１を開放状態にするときに互いに貼り合わされされる。すなわち、面ファスナーが貼り合わされたとき、閉塞体１０１が椅子１の裏面に略並行に固定されるので、椅子１は開放状態になる。
【００２９】  板部材１３５は、剛性、または準剛性を有する板状の部材で構成される。そして、板部材１３５は、閉塞体１０１の閉塞部分に設けられる。また、板部材１３５は、例えば、木材、鉄、及びプラスチックなどの剛性、または準剛性を有する部材で構成される。椅子１は、閉塞体１０１に板部材１３５を有することにより、閉塞状態になったとき、暖気の遮熱性と、横桟１１６への固定力を向上することができる。さらに、椅子１は、閉塞体１０１に板部材１３５を有することにより、開放状態になったとき、座部１２１の裏面で固定される閉塞体１０１のたわみを抑制することができる。
板部材１３５の設置位置、大きさ及び形状は、面ファスナー１３２の下端と板部材１３５の上端との間に、屈曲領域ａ１が形成されるように選択される。
【００３０】  板部材１３５は、本体１３０の内部に設けられてもよい。このとき、板部材１３５は、例えば、袋状の本体１３０に挿入されることで、本体１３０内部に設けられる。また、板部材１３５は、本体１３０表面に貼り付けられてもよい。なお、板部材１３５を構成要素から除外し、椅子１の構成をより簡単にしてもよい。この場合にも、閉塞体１０１の閉塞部分が全体的に屈曲性を有するため、屈曲領域ａ１を有する閉塞体１０１と同様の閉塞状態の切替えができる。
【００３１】  屈曲領域ａ１は、本体１３０と一体である。屈曲領域ａ１には、板部材１３５が存在しないので、屈曲領域ａ１は、本体１３０と同様の屈曲性を有する。このため、椅子１の閉塞体１０１は、ヒンジなどの他の部品を用いることなく、屈曲領域ａ１が曲がることにより座部１２１の裏面に固定される。したがって、椅子１は、簡単な構成により、メンテナンスや閉塞体の管理を容易にすることができる。なお、屈曲領域ａ１は、本体１３０と一体である構成に限定されるものではなく、別材料で構成し、面ファスナー１３２の下端と板部材１３５の上端との間につなぎ合わせてもよい。この場合には、屈曲領域ａ１に本体１３０の部材よりも折りたたみ耐性に優れた屈曲性を有する部材を用いてもよい。
【００３２】  閉塞体１０１は、本体１３０として布、板部材１３５としてＭＤＦ（ｍｅｄｉｕｍ  ｄｅｎｓｉｔｙ  ｆｉｂｅｒｂｏａｒｄ）などの軽量な木材を用いることにより、軽量安価な構成とすることもできる。
以下特に断らないが、各本体、各板部材には、上述した部材が適宜選択的に用いられるものとする。
【００３３】  図５から図７は、椅子の一実施例を示す図（その１）から（その３）である。
図５から図７は、椅子１の底面図である。図５から図７を参照して、椅子１について説明する。
図５から図７では、図２で説明した構成には同じ符号を付し、説明を省略する。
椅子１は、図５に示すように、接続穴１４１と、面ファスナー１４３と、面ファスナー１４４とを備える。
接続穴１４１は、図６に示すように、閉塞体１０１を取り付けるとき、閉塞体１０１の接続部分を通し、面ファスナー１３１と面ファスナー１３２とを接続することで、閉塞体１０１を横桟１１５に巻き付けるための穴である。
【００３４】  面ファスナー１４３は、面ファスナー１３３と一対のセットであり、図７に示すように、椅子１を開放状態にするときに互いに貼り合わされる。面ファスナー１４４は、面ファスナー１３４と一対のセットであり、図７に示すように、椅子１を開放状態にするときに互いに貼り合わされる。なお、面ファスナー１３３、１３４と、面ファスナー１４３、１４４とは、図６に示す位置関係と形状とに限定されるものではない。面ファスナー１３３、１３４と、面ファスナー１４３、１４４とは、それぞれが一対のセットとして貼り合わされ、閉塞体１０１を座部１２１の裏面に固定可能であれば、任意の位置関係と形状とを選択可能である。
【００３５】  図８から図１１は、開閉状態の切替えを説明する図（その１）から（その４）である。
図８から図１１は、椅子１の右側面図である。図８から図１１を参照して、椅子１の開放状態と閉塞状態との切替えについて説明する。
図８に示すように、閉塞体１０１の下端が横桟１１６の外側に配置されたとき、椅子１は閉塞状態に切替わる。横桟１１６は、例えば、横桟１１５からスペースＳ１だけ外側に位置するように設けられる。すると、椅子１の閉塞状態において、横桟１１６が横桟１１５の外側に位置することにより、閉塞体１０１には、横桟１１５を中心点として座部１２１下側方向に回動する力が働くことになる。これにより、椅子１が閉塞状態のとき、閉塞体１０１は、閉塞部分の下側が横桟１１６に固定される。なお、スペースＳ１の大きさは、椅子１の閉塞状態において、横桟１１５を中心点として座部１２１の下側方向に回動する力が閉塞体１０１に働くように適宜設定される。
【００３６】  図９に示すように、閉塞体１０１は、椅子１の開閉状態を切替えるとき、屈曲領域ａ１が屈曲され、横桟１１６の上側を通り抜けるように変形される。このように、閉塞体１０１は、屈曲領域ａ１を有するため、閉塞部分に剛性の板部材１３５を設けても、横桟１１６の上方から開放部を通りぬけ可能にしている。なお、板部材１３５を除外した構成の閉塞体１０１も同様に、閉塞部分が全体的に屈曲性を有するため、横桟１１６の上方から開放部を通りぬけできる。
【００３７】  図１０に示すように、閉塞体１０１は、開閉状態を切替えるとき、座部１２１下側で横桟１１５を中心として回動される。
図１１に示すように、閉塞体１０１の面ファスナー１３３、１３４がそれぞれ座部１２１裏面に設けられた面ファスナー１４３、１４４と接続されたとき、椅子１は開放状態に切替わる。
【００３８】  図１２は、閉塞体の一実施例を示す図（その２）である。
図１２を参照して、閉塞体１０１の変形例である閉塞体２０１について、椅子１に閉塞体２０１を接続するものとして説明する。
閉塞体２０１は、本体２３０と、面ファスナー２３１から２３６と、破線で示される板部材２３７、２３８とを備える。図１２において、面ファスナー２３１と面ファスナー２３２と面ファスナー２３１から面ファスナー２３２の間を含む領域が接続部分である。また、面ファスナー２３２の下端から閉塞体２０１の下端までの領域が閉塞部分である。
【００３９】  本体２３０は、屈曲性を有する部材で構成される。本体２３０は、本体１３０と同様に、例えば、布、合皮、本皮、及び合成樹脂などの屈曲性を有する部材を用いて構成される。
【００４０】  面ファスナー２３１と面ファスナー２３２とは、一対のセットであり、横桟１１５に閉塞体２０１を巻き付けたとき、互いに貼り合わされる。これにより、閉塞体２０１は、椅子１の横桟１１５に着脱可能に接続される。
【００４１】  面ファスナー２３３、２３５は、面ファスナー１４３と一対のセットであり、椅子１を開放状態にするときに互いに貼り合わされる。面ファスナー２３４、２３６は、面ファスナー１４４と一対のセットであり、椅子１を開放状態にするときに互いに貼り合わされる。すなわち、面ファスナーが貼り合わされたとき、閉塞体２０１が椅子１の裏面に略並行に固定されるので、椅子１は開放状態になる。なお、面ファスナー１４３はそれぞれ面ファスナー２３３、２３５に対応させて、２つの面ファスナーで１４３ａ、１４３ｂを含む構成でもよい。また、面ファスナー１４４は、それぞれ面ファスナー２３４、２３６に対応させて、図示しない２つの面ファスナーで１４４ａ、１４４ｂを含む構成でもよい。
【００４２】  板部材２３７、２３８は、剛性、または準剛性を有する板状の部材で構成される。そして、板部材２３７、２３８は、閉塞体２０１の閉塞部分に設けられる。また、板部材１３５は、例えば、木材、鉄、及びプラスチックなどの剛性、または準剛性を有する部材で構成される。椅子１は、閉塞体２０１に板部材２３７、２３８を有することにより、閉塞状態になったとき、暖気の遮熱性と、横桟１１６への固定力を向上することができる。さらに、椅子１は、閉塞体２０１に板部材２３７、２３８を有することにより、開放状態になったとき、座部１２１の裏面で固定される閉塞体２０１のたわみを抑制することができる。
【００４３】  板部材２３７、２３８の設置位置、大きさ及び形状は、面ファスナー２３２の下端と板部材２３７の上端との間と、板部材２３７の下端と板部材２３８の上端との間とに、それぞれ屈曲領域ａ２と屈曲領域ａ３とが形成されるように選択される。
【００４４】  屈曲領域ａ２、ａ３は、本体２３０の一体である。屈曲領域ａ２には、板部材２３７、２３８が存在しないので、屈曲領域ａ２は、本体２３０と同様の屈曲性を有する。このため、椅子１の閉塞体２０１は、ヒンジなどの他の部品を用いることなく、屈曲領域ａ２が曲がることにより、椅子１の開閉状態を切替えることができる。なお、屈曲領域ａ２は、本体２３０と一体である構成に限定されるものではなく、別材料で構成し、面ファスナー２３２の下端と板部材２３７の上端との間につなぎ合わせてもよい。この場合には、屈曲領域ａ２に本体２３０の部材よりも折りたたみ耐性に優れた屈曲性を有する部材を用いてもよい。
【００４５】  上述のように、閉塞体２０１は、閉塞体１０１の屈曲領域ａ１と対応する屈曲領域ａ２に加えて、屈曲領域ａ３をさらに備える。これにより、閉塞体２０１は、椅子１の開閉状態を切替えるとき、屈曲領域ａ２に加えて屈曲領域ａ３も屈曲されるため、閉塞体２０１の構成と比較して、横桟１１６の上側の通り抜けを容易にすることができる。なお、屈曲領域ａ３は、本体２３０と一体である構成に限定されるものではなく、別材料で構成し、面ファスナー２３７の下端と板部材２３８の上端との間につなぎ合わせてもよい。この場合には、屈曲領域ａ３に本体２３０の部材よりも折りたたみ耐性に優れた屈曲性を有する部材を用いてもよい。また、椅子の閉塞体の閉塞部分に３以上の板部材を備え、屈曲領域を接続部分との間の領域とそれぞれの板部材の間の領域にそれぞれ設けてもよい。
【００４６】  図１３は、椅子の一実施例を示す図（その４）である。
図１３を参照して、椅子の変形例について説明する。図８に示す椅子１と同じ構成には同じ符号を付し、説明を省略する。
椅子２は、閉塞体３０１を備える。
閉塞体３０１は、閉塞体１０１から面ファスナー１３１と、面ファスナー１３２とを除外した構成である。そして、閉塞体３０１は、座部１２１の裏面の接続位置２５１に、接着剤またはタッカーなどの任意の接続手段で接続される。これにより、椅子２は、閉塞体１０１と比較して、閉塞体３０１の部品点数を削減することができる。
【００４７】  接続位置２５１は、椅子２が閉塞状態のとき、閉塞体３０１の下側を横桟１１６の外側に配置でき、かつ椅子２の開閉状態を切替えるとき、閉塞体３０１が横桟１１６の上方から開放部を通りぬけできる、脚１１１と脚１１２との間の上方近傍の位置に設けられる。このとき、横桟１１６は、例えば、接続位置２５１からスペースＳ２だけ外側に位置するように設けられる。スペースＳ２の大きさは、椅子２の閉塞状態において、接続位置２５１を中心点として座部１２１の下側方向に回動する力が閉塞体３０１に働くように適宜設定される。
【００４８】  図１４は、椅子の一実施例を示す図（その５）である。
図１４は、椅子３の右側面図である。図１４を参照して、椅子の変形例について説明する。図８に示す椅子１と同じ構成には同じ符号を付し、説明を省略する。
椅子３は、脚３１２、３１４と、図示しない脚３１１、脚３１３と、横桟３１５とを備える。脚３１１と脚３１２とは、椅子３の後方を支える。また、脚３１３と脚３１４とは、椅子３の前方を支える。脚３１１から脚３１４と、横桟３１５とは、木材、プラスチック、アルミニウム、ステンレス、鉄などの剛性、または準剛性を有する部材で構成される。
脚３１１から３１４は、図１４に示すように座部１２１の縁よりも中央よりの位置で座部１２１を支える。
【００４９】  横桟３１５は、座部１２１の下側に、椅子３の右側面側から左側面側に向かって掛け渡される。横桟１１６は、横桟３１５の下側で、脚３１１と脚３１２との間に掛け渡される。なお、横桟３１５は、横桟１１６の上側で、脚１１１と脚１１２との間に掛け渡されてもよい。
【００５０】  また、横桟３１５は、図示しない接続穴２４１を備える。接続穴２４１は、閉塞体１０１を取り付けるとき、閉塞体１０１の接続部分を巻きつけて、閉塞体１０１を椅子３に接続するための穴である。なお、横桟３１５が、横桟１１６の上側で、脚１１１と脚１１２との間に掛け渡される構成の場合、接続穴２４１を設けずに、横桟３１５と座部１２１の裏面との間を通して、閉塞体１０１の接続部分を横桟３１５に巻きつける構成にしてもよい。
【００５１】  横桟３１５は、椅子３が閉塞状態のとき、閉塞体１０１の下側を横桟１１６の外側に配置でき、かつ椅子３の開閉状態を切替えるとき、閉塞体１０１が横桟１１６の上方から開放部を通りぬけできる、脚３１１と脚３１２との間の上方近傍の位置に設けられる。このとき、横桟１１６は、例えば、横桟３１５からスペースＳ３だけ外側に位置するように設けられる。スペースＳ３の大きさは、椅子３の閉塞状態において、横桟３１５を中心点として座部１２１の下側方向に回動する力が閉塞体１０１に働くように適宜設定される。
【００５２】  図１５は、椅子の使用の一例を示す図（その２）である。
図１５は、椅子３の左側面図である。図１５を参照して、椅子の変形例について説明する。図１に示す椅子１と同じ構成には同じ符号を付し、説明を省略する。
椅子４は、閉塞体４０１を備える。
閉塞体４０１は、椅子４の左側面に接続される。閉塞体４０１の構成は、例えば、閉塞体１０１、閉塞体２０１、または閉塞体４０１と同様の構成であり、座部１２１の裏面に貼り付け可能に対応する面ファスナーが設けられる。そして、閉塞体４０１は、座部１２１の裏面の図示しない接続位置４５１に接続される。また、椅子４の座部１２１裏面には、閉塞体４０１の面ファスナーに対応する図示しない面ファスナーが設けられる。
【００５３】  また、椅子４の脚１１１と脚１１３との間に、座面上側から見て、接続位置４５１の水平方向外側に、図示しない横桟４１６を設けてもよい。以下の説明では、座面上側から見て、接続位置４５１の水平方向外側のことを単に接続位置４５１の外側ともいう。
【００５４】  椅子４の閉塞状態において、横桟４１６が接続位置４５１の外側に位置することにより、椅子４の閉塞状態において、閉塞体４０１には、横桟４１６を中心点として座部１２１下側方向に回動する力が働くことになる。これにより、閉塞体４０１は、閉塞部分の下側が横桟４１６に押し付けられるようにして固定される。
【００５５】  さらに、椅子４は、右側面側にも、閉塞体４０１、接続位置４５１、及び横桟４１６に対応する、図示しない閉塞体５０１、接続位置５５１、及び横桟５１６を備える。
そして、椅子４は、ダイニングこたつ５で使用されるこたつ布団６の中に、座面が入り込むようにして使用される。
【００５６】  上述のように、椅子４は、閉塞体１０１に加えて、閉塞体４０１、５０１を有することにより、椅子１と比較してより高い遮熱機能を有し、暖気の逃げを抑制することができる。
【００５７】  以上のように、実施形態の椅子１は、閉塞体１０１を屈曲性の高い部材を用いて構成される。そして、椅子１の閉塞体１０１は、椅子１を開放状態にするとき、本体１３０が屈曲することにより座部１２１の裏面に固定される。このように、遮熱機能を有する椅子１は、簡単な構成により、閉塞体１０１を椅子から取り外すことなく開閉状態を切り替え可能であるため、メンテナンスや閉塞体の管理を容易にすることができる。
【００５８】  また、実施形態の椅子１の閉塞体１０１は、横桟１１５に接続された状態において、脚１１１と、脚１１２と、横桟１１５と、横桟１１６との間の開放部を覆う長さを有する。そして、椅子１の横桟１１６が横桟１１５の外側に位置することにより、椅子１の閉塞状態において、横桟１１５を中心点として座部１２１下側方向に回動する力が閉塞体１０１に働くことになる。これにより、椅子１は、閉塞状態において、閉塞体１０１の閉塞部分の下側を、横桟１１６に押し付けられるようにして固定することができる。
【００５９】  さらに、実施形態の椅子１の面ファスナー１３１と面ファスナー１３２とは、一対のセットであり、横桟１１５に閉塞体１０１を巻き付けたとき、互いに貼り合わされる。これにより、閉塞体１０１は、椅子１の横桟１１５に着脱可能に接続される。したがって、椅子１の閉塞体１０１は、洗濯や取替えが可能となる。
【００６０】  実施形態の椅子１の閉塞体１０１の板部材１３５は、剛性、または準剛性を有する板状の部材で構成される。そして、板部材１３５は、閉塞体１０１の閉塞部分に設けられる。これにより、椅子１は、閉塞状態になったときの、暖気の遮熱性と、横桟１１６への固定力を向上することができる。さらに、椅子１は、開放状態になったとき、座部１２１の裏面で固定される閉塞体１０１のたわみを抑制することができる。
【００６１】  実施形態の椅子１は、閉塞体１０１に代えて、閉塞体２０１を備えてもよい。閉塞体２０１は、閉塞体１０１の屈曲領域ａ１と対応する屈曲領域ａ２に加えて、屈曲領域ａ３をさらに備える。これにより、椅子１の閉塞体２０１は、椅子１の開閉状態を切替えるとき、屈曲領域ａ２に加えて屈曲領域ａ３も屈曲されるため、閉塞体２０１の構成と比較して、横桟１１６の上側の通り抜けを容易にすることができる。
なお、本実施形態は、以上に述べた実施形態に限定されるものではなく、本実施形態の要旨を逸脱しない範囲内で種々の構成または実施形態を取ることができる。
【符号の説明】
【００６２】      １〜４  椅子
５  ダイニングこたつ
６  こたつ布団
１０１、２０１、３０１、４０１、５０１  閉塞体
１１１〜１１４、３１１〜３１４  脚
１１５、１１６、３１５、４１６、５１６  横桟
１２１  座部
１３０、２３０  本体
１３１〜１３４、１４３、１４４、２３１〜２３６  面ファスナー
１３５、２３７、２３８  板部材
１４１、２４１  接続穴
２５１、４５１、５５１  接続位置
【図１】
2018000890.tif 000003
【図２】
2018000890.tif 000004
【図３】
2018000890.tif 000005
【図４】
2018000890.tif 000006
【図５】
2018000890.tif 000007
【図６】
2018000890.tif 000008
【図７】
2018000890.tif 000009
【図８】
2018000890.tif 000010
【図９】
2018000890.tif 000011
【図１０】
2018000890.tif 000012
【図１１】
2018000890.tif 000013
【図１２】
2018000890.tif 000014
【図１３】
2018000890.tif 000015
【図１４】
2018000890.tif 000016
【図１５】
2018000890.tif 000017
【手続補正書】
【提出日】平成29年7月27日(2017.7.27)
【手続補正１】
【補正対象書類名】特許請求の範囲
【補正対象項目名】請求項５
【補正方法】変更
【補正の内容】
【請求項５】
前記開閉部は、剛性を有する複数の板部材を含み、前記複数の板部材の間は、屈曲性を有することを特徴とする請求項１〜３のいずれか一つに記載の椅子